(57)【要約】デコーダが、異なるソースからデータを受信するために複数のチューナ（１１０ａ−１１０ｄ）を有する。各々のチューナ（１１０ａ−１１０ｄ）は、一つの選択されたチャネル又は複数のチャネルに対応する、受信された信号の一部を選択するように制御されるデマルチプレクサ（１２０ａ−１２０ｄ）を有する。前記デマルチプレクサは、オーバラップするアドレスを有する、選択された信号部分を決定し、オーバラップしないように前記信号部分のアドレスの再割り当てをし、コモンインタフェイススロット（１４０；２２０ａ−２２０ｃ）に入力するために前記信号部分を多重化するように構成されるレマルチプレクサ（１３０；２１０ａ−２１０ｃ）に出力する。
2004512780.tif 000002
【特許請求の範囲】
【請求項１】
異なるソースからデータを受信するために複数のチューナを有し、各々の前記チューナが、選択された一つのチャネル又は複数のチャネルに対応する受信された信号の一部を選択するように制御されるデマルチプレクサを具備し、前記デマルチプレクサは、アドレスがオーバラップした、選択された信号部分を決定し、オーバラップしないように前記信号部分のアドレスの再割り当てをし、コモンインタフェイススロットへの入力のために前記信号部分を多重化するように構成されるレマルチプレクサに出力するように構成されるデコーダ。
【請求項２】
前記コモンインタフェイススロットが、前記多重化された信号部分を挿入されたコモンインタフェイスカードを通じて配信し、その後前記多重化された信号部分を分割すると共に少なくとも前記分割された出力の一部を該出力の出力先に配信するためにデマルチプレクサに配信するように構成される請求項１に記載のデコーダ。
【請求項３】
前記デマルチプレクサを多数のレマルチプレクサに接続するスイッチングユニットを更に有し、前記スイッチングユニットが、前記デマルチプレクサから信号部分を受信すると共に選択的に一つ又はそれ以上の前記レマルチプレクサに各々の前記信号部分をスイッチングするよう構成され、各々の前記レマルチプレクサが、オーバラップするアドレスを有する前記信号部分を決定し、オーバラップしないように前記信号部分のアドレスの再割り当てをし、コモンインタフェイススロットへの入力のために前記信号部分を多重化するように構成される請求項１又は２に記載のデコーダ。
【請求項４】
各々の前記レマルチプレクサが異なるコモンインタフェイススロットに接続される請求項３に記載のデコーダ。
【請求項５】
信号部分が前記信号部分のコンテンツに依存してレマルチプレクサにスイッチングされる請求項３又は４に記載のデコーダ。
【請求項６】
信号部分が前記信号部分のソースに依存してレマルチプレクサにスイッチングされる請求項３又は４に記載のデコーダ。
【請求項７】
アドレスがチャネル識別子を有する請求項１乃至６の何れか一項に記載のデコーダ。
【請求項８】
アドレスの再割り当てをする際に前記信号部分内に新たなインデックスストリームが作成され、組み込まれる請求項１乃至６の何れか一項に記載のデコーダ。
【発明の詳細な説明】
【０００１】
【発明の属する技術分野】
本発明は、セットトップボックスとしての使用又は多重入力に対応する、集積されたディジタルテレビ内の使用に適したデコーダに関する。
【０００２】
テレビ番組放送と、ケーブル、衛星、又は無線周波数によるシステムのようなディジタル転送システムを経て転送される双方向サービスとは、転送されるために通常多重化され、符号化され、暗号化される。受信の際、表示のためにテレビに中継される前に多重分離され、復号化され、解読されるように閲覧者によって選択されるチャネル又はサービスに対応した信号の一部のために、放送又はサービスを収録している信号はデコーダを通して配信されなければならない。デコーダの一つの形態は、信号受信器（空中線、ケーブル分岐点、及び衛星放送用パラボラアンテナなど）とテレビとの間に位置されているセットトップボックスである。外付けセットトップボックスの代わりとして、前記デコーダがテレビセットに集積されてもよい。両方の型のデコーダは同種の機能を果たすが、前記信号受信器及び前記テレビセットに関して、異なる物理的な配置を有している。
【０００３】
【従来の技術】
典型的なデコーダの構成は図１に概略的に示されている。信号受信器（図示略）は通常ケーブルを介してデコーダ１０の入力５に接続される。入力５は、次にコモンインタフェイス（ＣＩ（Ｃｏｍｍｏｎ　Ｉｎｔｅｒｆａｃｅ））スロット３０に接続されているチューナ２０に接続される。ＣＩスロット３０は、デコーダ５０に接続されているデマルチプレクサ（ｄｅｍｕｌｔｉｐｌｅｘｅｒ）４０に出力する。前記デコーダは、オーディオビジュアル装置が接続されることが可能な多数の出力６０及び７０を供給する。システムプロセッサ８０は、デコーダ１０の動作を制御している。入力手段９０は、デコーダ１０の外部制御を可能とするためにシステムプロセッサ８０に接続されていてもよい。
【０００４】
放送事業者は、個々の放送及びサービス又は放送及びサービスのグループへのアクセスに対し閲覧者に課金するために、暗号化された転送によって提供される機会を利用している。これは、前記閲覧者が購入した、前記放送又はサービスに対する暗号解読キーをスマートカード（図示略）上に供給することのみによって達成される。前記スマートカードは、前記デコーダに暗号解読キーにアクセスさせ、エンジンに、選択される放送又はサービスを解読させるＣＩスロット３０に挿入される。欧州において、異なる製造業者のデコーダと、異なる放送業者又はサービスプロバイダのスマートカードとの間の互換性を保証するために、コモンインタフェイス標準規格（ＣＩ）が合意された。この明細書の符合を通じて、前記スロットはＣＩスロットとして参照され、スマートカードはＣＩカードとして参照されるであろう。しかし、記載の前記デコーダにおいて、他の標準規格のものを含む他のスロット型及びカード型と、他のキーによる解読システムとも対応可能であろう。
【０００５】
動作中、受信された信号はデコーダ１０の入力５に入力される。チューナ２０は該信号をＣＩスロット３０に伝送する。ＣＩカード（図示略）がＣＩスロット３０に挿入される場合、前記信号は前記カードを通じて配信される。システムプロセッサ８０は前記カードを制御し、それにより、選択された放送又はサービスに対応する前記信号の特定部分を処理すると共に解読する。該処理された信号は、それからシステムプロセッサ８０の制御中に前記信号の解読された部分を抽出するために前記信号を多重分離するデマルチプレクサ４０に伝送される。前記信号の部分は、関連した出力６０及び７０にそれから伝送されるビデオ及びオーディオコンポーネントに前記信号を復号化するデコーダ５０にそれから伝送される。
【０００６】
【発明が解決しようとする課題】
図１に関連して上記のようなデコーダは、該デコーダの所期の目的のために使用されると、許容し得る性能及び機能を完全に提供し、一つの放送業者又はサービスプロバイダから信号を受信し、該信号コンポーネントへのアクセスを可能にする。しかし、記載された構成は、異なるソース（例えばケーブル及び衛星）からの二つ又はそれ以上の信号の受信を処理することができない。多重ＣＩカードは、上記構成において多重ＣＩスロットを供給することなしにサポートされ得ない。更に、入力信号は同じ識別子又はアドレスを使用しているコンポーネントを具備する傾向にある。該同じ識別子又はアドレスの出所は、二つの別々の供給者から受信される同じ放送であってもよいし、二つ又はそれ以上の異なる放送であってもよい。何れの場合であっても、現行の構成において競合解消の形態は提供されない。
【０００７】
現在知られている唯一の解決策は、信号ソースごとに一つのデコーダを持たせることである。セットトップボックス型のデコーダは選択された放送又はサービスをテレビ内のセットトップボックスに関連している周波数又はアドレスに出力するので競合がない。これは、各信号ソースに対して完全なデコーダを必要とする、極端に高価な解決策である。更に、テレビと特定のセットトップボックスとの両方においてチャネルが変更されなければならないという点で、この解決策は万全ではない。該解決策は閲覧者宅において所望され得ないかなり広い場所の占有もする。
【０００８】
【課題を解決するための手段】
本発明の一つの態様によれば、異なるソースからデータを受信するために複数のチューナを有し、各々の前記チューナが、選択された一つのチャネル又は複数のチャネルに対応する受信された信号の一部を選択するように制御されるデマルチプレクサを具備し、前記デマルチプレクサが、アドレスがオーバラップした、選択された信号部分を決定し、オーバラップしないように前記信号部分のアドレスの再割り当てをし、コモンインタフェイススロットへの入力のために前記信号部分を多重化するように構成されるレマルチプレクサ（ｒｅｍｕｌｔｉｐｌｅｘｅｒ）に出力するように構成されるデコーダが提供される。
【０００９】
本発明により、多数のソースは、大多数のハードウエアコンポーネントを共有する一方で、一つのデコーダによって復号化される。更に、異なるソースからの異なるチャネルは共通のＣＩカード又は異なるＣＩカードに配信されてもよい。ＣＩカードへの選択は、信号のコンテンツ、ソース、又は他のパラメータに依存していてもよい。
【００１０】
前記コモンインタフェイススロットは、前記多重化された信号部分をいくつかの挿入されたコモンインタフェイスカードを通じて配信し、それから前記多重化された信号部分を分割すると共に少なくとも前記分割された出力の一部を該出力の出力先に配信するために、デマルチプレクサに配信するように構成されてもよい。
【００１１】
前記デコーダは、前記デマルチプレクサを多数のレマルチプレクサに接続するスイッチングユニットを有し、前記スイッチングユニットが、前記デマルチプレクサから信号部分を受信すると共に選択的に一つ又はそれ以上の前記レマルチプレクサに各々の前記信号部分をスイッチングするように構成され、各々の前記レマルチプレクサが、オーバラップするアドレスを有する前記信号部分を決定し、オーバラップしないように前記信号部分のアドレスの再割り当てをし、コモンインタフェイススロットへの入力のために前記信号部分を多重化するように構成されてもよい。
【００１２】
各々のレマルチプレクサは異なるコモンインタフェイススロットに接続されていてもよい。
【００１３】
信号部分は該信号部分のコンテンツに依存してレマルチプレクサにスイッチングされてもよい。
【００１４】
信号部分は該信号部分のソースに依存してレマルチプレクサにスイッチングされてもよい。
【００１５】
アドレスはチャネル識別子を有していてもよい。
【００１６】
アドレスの再割り当てをする際、新たなインデックスストリームが作成され、前記信号部分内に組み込まれてもよい。
【００１７】
本発明の例は、単に例として、及び添付図面に関連してこの場合詳細に記載されるであろう。
【００１８】
【発明の実施の形態】
図２は本発明の一つの例によるデコーダの構成の概略図である。
【００１９】
デコーダ１００は、多数のチューナ１１０ａ〜１１０ｄ、対応する数のデマルチプレクサ１２０ａ〜１２０ｄ、レマルチプレクサ１３０、ＣＩスロット１４０、デマルチプレクサ１５０、デコーダ１６０、及び制御プロセッサ１７０を含んでいる。
【００２０】
各々のチューナ１１０ａ〜１１０ｄは別々の信号ソースに接続され得る。各々のチューナは該チューナの各々の信号を該チューナのデマルチプレクサに伝送する。前記デマルチプレクサは前記信号を各々放送又は提供されたサービスに対応する部分に分離する。制御プロセッサ１７０は前記デマルチプレクサを制御し、それにより前記部分の一つをレマルチプレクサ１３０に出力する。制御プロセッサ１７０からの制御は通常閲覧者によって選択されるチャネル又はサービスに基づいている。しかし、制御はデコーダ１０においてハードコピーされる所定の命令からのものであってもよい。レマルチプレクサ１３０は選択された信号部分を各々のデマルチプレクサ１２０ａ〜１２０ｄから受信する。前記信号部分は必要ならばレマルチプレクサ１３０において再マッピングされるので、二つの信号部分は同じアドレスを占有せず、又は同じ識別コードを持たない。前記識別コード又はアドレスが変更される場合、新たなインデックスストリームが作成され、前記信号内に組み込まれる。前記信号部分はそれから一つの信号に再多重化され、ＣＩスロット１４０へ出力される。前記ＣＩスロットにおいて、暗号解読キーを含むＣＩカードが挿入される。
【００２１】
暗号解読キーが保持されている放送に対応する前記信号の部分は、制御プロセッサ１７０の制御中に解読され、前記信号はそれからメインデマルチプレクサ１５０に伝送される。デマルチプレクサ１５０において、前記信号は別々の信号に分割され、各々の該分割された信号は各々の放送又はサービスに対応している。制御プロセッサ１７０によって発せられる命令に依存して、デマルチプレクサ１５０は、一つ又はそれ以上の前記別々の信号をデコーダ１６０に配信し、それによって前記信号をテレビに出力するためにオーディオ及びビジュアルコンポーネントに復号化する。代わりに、又は更に、一つ又はそれ以上の信号は、記憶媒体、第二のテレビ、及びパーソナルコンピュータ（ＰＣ）（全て図示略）などに配信されてもよい。
【００２２】
図３は、本発明の他の例による、図２の構成から修正されたデコーダの構成の概略図である。
【００２３】
各々のデマルチプレクサ１２０ａ〜１２０ｄはスイッチ２００に接続されている。制御プロセッサ１７０（図２）の制御中に、スイッチ２００は前記別々の信号をデマルチプレクサ１２０ａ〜１２０ｄから多数のレマルチプレクサ２１０ａ〜２１０ｃのうちの一つに配信する。各々のレマルチプレクサ２１０ａ〜２１０ｃはＣＩスロット２２０ａ〜２２０ｃに接続されている。スイッチ２００における配信は、各々の信号内のネットワーク及びチャネル識別子と、ＣＩスロット２２０ａ〜２２０ｃ内のＣＩカードが解読し得る放送及びサービスとに依存して実行される。ＣＩカードが解読し得る放送及びサービスは、カードそのものにアクセスすることによって又はいくつかの外部データソースを介して決定されてもよい。このように、放送又はサービスは正しいＣＩカードに配信される。ＣＩスロット２２０ａ〜ｃからの出力はそれからレマルチプレクサ２３０において再多重化され、それから前記信号を該信号の出力先に配信するように動作するデマルチプレクサ２５０に伝送される。
【００２４】
このように、一つのデコーダは多重信号ソースを処理し、該信号を多数の出力先に可能な限り同時に出力することができる。全ての放送及びサービスは一つのＣＩカードに配信され、一つのＣＩカードによって解読されることが可能であり、又は多数のＣＩカードを通じて配信され、解読されることが可能である。異なる信号を同時に必要とする多重のソース又は多重の出力先に対する要求に応えるために多重のデコーダを持つ必要性はそれ故に一つの相対的に簡単なデコーダによって解決される。
【図面の簡単な説明】
【図１】典型的なデコーダの構成の概略図である。
【図２】本発明の一つの例によるデコーダの構成の概略図である。
【図３】本発明の他の例によるデコーダの構成の概略図である。
【国際公開パンフレット】
2004512780.tif 000003
2004512780.tif 000004
2004512780.tif 000005
2004512780.tif 000006
2004512780.tif 000007
2004512780.tif 000008
2004512780.tif 000009
2004512780.tif 000010
2004512780.tif 000011
2004512780.tif 000012
2004512780.tif 000013
2004512780.tif 000014
【国際公開パンフレット（コレクトバージョン）】
2004512780.tif 000015
【国際調査報告】
2004512780.tif 000016
2004512780.tif 000017
2004512780.tif 000018